(57)【要約】【課題】ＡＤＦ装置に２つの読取部を設け、原稿を反転搬送しながら、両面原稿の第１、２面の読取りを原稿の先端部側から行い、読み取った画像情報の後処理を容易に行い得るようにする。【解決手段】画像読取装置に設ける走査装置２４に対して、ＲＡＤＦ３５を配置してプラテン２２、２３による読取部を設ける。前記ＲＡＤＦ３５には、第１読取部４０と第２読取部５０とを結ぶ搬送路を、排出トレイ４６を介して設け、第１読取部４０で第１面の画像を読み取った後で、排出トレイ４６を介して反転して第２読取部５０に向けて送り、第２面の読取りを行ってから、原稿を排出トレイ４６に向けて排出させるようにする。【選択図】          図２
2004343490.tif 000002
【特許請求の範囲】
【請求項１】
フラットベッドに載置した原稿を走査装置を移動させて読み取る手段と、自動原稿搬送装置に対応させて走査装置を停止させて読み取る手段とを備え、前記走査装置を読取モードに対応させて作動させる画像読取装置において、
前記自動原稿搬送装置を両面原稿の読取りに対応させた搬送手段と、
原稿トレイから送り込む原稿の第１面の読取りを行う第１の読取部と、
前記第１の読取部を通した原稿を反転させて原稿の裏面の読取りを行う第２の読取部と、を設け、
前記第１、２の読取部を通って読取りが終了した原稿を、原稿トレイにセットした状態で排出トレイに堆積させることを特徴とする画像読取装置。
【請求項２】
前記自動原稿搬送装置には、
原稿トレイから送られる原稿を、第１面の読取りに向けて搬送する第１の原稿搬送路と、
前記原稿の第１面を読み取った後で、排出トレイに設ける反転部を通して第２面の読取りに向けて搬送する第２の原稿搬送路と、
前記第２の原稿搬送路を通った原稿を、反転させて排出トレイに向けて送り出す手段を設けたことを特徴とする請求項１に記載の画像読取装置。
【請求項３】
前記自動原稿搬送装置において、第２の読取部に設ける搬送ローラ装置を正逆方向に駆動可能なローラで装置として構成し、
前記第２の読取部で裏面の読取りが終了した原稿を、前記搬送ローラ装置を逆転駆動して、排出トレイに向けて排出する動作を行うことを特徴とする請求項１または２に記載の画像読取装置。
【発明の詳細な説明】
【０００１】
【発明の属する技術分野】
本発明は、ＡＤＦ手段を用いて両面原稿の読取りを行う画像読取装置に関し、特に、ＡＤＦに２つの読取部を配置し、第１面（表面）と第２面（裏面）の画像を連続して読取可能に構成した画像読取装置に関する。
【０００２】
【従来の技術】
従来より、複写機や、ファクシミリ装置、または両機能を組み合わせた複合機のような画像形成装置においては、ブックものの原稿を載置して読み取るために、ＦＢＳ（フラットベッドスキャナ）としての作用を行う大サイズのプラテンと、シートものの原稿を搬送しながら画像の走査（読取り）を行うＡＤＦ手段（自動原稿搬送装置）に対応する画像読取装置を設けている。前記画像読取装置においては、ＦＢＳ手段に対応させて、大サイズのプラテンの下面に沿って移動しながら走査する走査装置を設けている。前記ＡＤＦの原稿搬送手段を使用する際には、前記大サイズのプラテンの一端部に設けた小サイズのプラテンの位置に固定して、原稿搬送装置により移動される原稿の読取りを行うように構成している（例えば、特許文献１を参照）。
【０００３】
【特許文献１】
特開平１２−４１１３３号公報
【０００４】
【発明が解決しようとする課題】
ところが、前記ＡＤＦ装置では、原稿の１つの面のみを走査する機能を用いているものが多く、両面原稿を自動的に反転させて読み取る機能を設けることは、装置の構造が非常に複雑となり、メンテナンスの困難な大型の装置となるという問題がある。そこで、従来より使用されている小型のＡＤＦ機能に組み合わせて、自動両面原稿搬送装置を簡単な機構のもので構成することが望まれているが、現状では、ユーザーの要望に応じることができないという課題が残っている。
【０００５】
本発明は、ＡＤＦ装置に原稿反転手段を介して２つの読取部を配置し、原稿の両面の読取りを連続して行い得る原稿読取装置を提供することをを目的としている。
【０００６】
【課題を解決するための手段】
本発明は、フラットベッドに載置した原稿を走査装置を移動させて読み取る手段と、自動原稿搬送装置に対応させて走査装置を停止させて読み取る手段とを備え、前記走査装置を読取モードに対応させて作動させる画像読取装置に関する。請求項１の発明は、前記自動原稿搬送装置を両面原稿の読取りに対応させた搬送手段と、原稿トレイから送り込む原稿の第１面の読取りを行う第１の読取部と、前記第１の読取部を通した原稿を反転させて原稿の裏面の読取りを行う第２の読取部と、を設け、前記第１、２の読取部を通って読取りが終了した原稿を、原稿トレイにセットした状態で排出トレイに堆積させることを特徴とする。
【０００７】
請求項２の発明は、前記自動原稿搬送装置には、原稿トレイから送られる原稿を、第１面の読取りに向けて搬送する第１の原稿搬送路と、前記原稿の第１面を読み取った後で、排出トレイに設ける反転部を通して第２面の読取りに向けて搬送する第２の原稿搬送路と、前記第２の原稿搬送路を通った原稿を、反転させて排出トレイに向けて送り出す手段を設けたことを特徴とする。
【０００８】
請求項３の発明は、前記自動原稿搬送装置において、第２の読取部に設ける搬送ローラ装置を正逆方向に駆動可能なローラで装置として構成し、前記第２の読取部で裏面の読取りが終了した原稿を、前記搬送ローラ装置を逆転駆動して、排出トレイに向けて排出する動作を行うことを特徴とする。
【０００９】
前述したように構成したことにより、シートものの両面原稿を、原稿トレイにセットすることで、第１面と第２面の画像の読み取りを連続して行うことができ、その原稿搬送機構を簡素化した機構のものとして構成することができる。そして、排出トレイに排出される原稿は、原稿トレイにセットした頁順にしたがって堆積されるので、オペレータの後処理の手間を省くことができる。また、前記両面原稿の読み取りを行う際に、第１読取部と第２読取部とに対応させて、走査装置を少しだけ移動させて位置決めすることで対処でき、従来のＡＤＦに対して若干の機能を追加することで対処が可能である。
【００１０】
【発明の実施の形態】
図示される例にしたがって、本発明の装置の構成を説明する。図１に示す画像形成装置１は、装置本体２の上部にＦＢＳ２０とＡＤＦ３５を組み合わせて設け、前記画像読取手段により読み取った原稿の画像情報に基づいて、記録紙を作成する装置として構成するものを示している。前記画像形成装置１の本体２には、従来の複写機等の画像形成装置と同様に構成され、トナー画像を用紙に転写して記録紙を作成する電子写真方式の画像記録部１０を設けている。前記画像記録部１０の下部には、給紙カセット４を装着して給紙する給紙部を設け、前記給紙カセット４から給紙ローラ５により取出した用紙を、用紙搬送路６に配置した搬送ローラ装置７により画像転写部に向けて搬送する。
【００１１】
前記画像記録部１０においては、感光体ドラム１１に対して書込装置１２、現像装置１３、転写ローラ１４およびクリーニング装置１５を配置している。そして、後述する画像読取装置２０からの画像情報に基づいて、感光体ドラム１１にあにかじめ一様な帯電を行った状態で、書込装置１２により画像の光を照射して静電潜像を形成し、その静電潜像に現像装置１３の現像ローラからトナーを供給してトナー画像を作成する。前記感光体ドラム１１に形成したトナー画像は、用紙搬送路を搬送されてきた用紙の裏面に配置する転写ローラ１４から、転写電圧が印加されることにより用紙にトナー画像が転写される。その後に、前記トナー画像を担持する用紙を定着装置１７を通して定着し、排出ローラ装置１８により排出トレイ１９に向けて排出させる。なお、図１に示す画像形成装置としては、複写機やファクシミリ装置、または、両機能を複合した複合機として構成することが可能なものである。特に、本実施例に示す画像読取装置において、以下に説明する画像読取装置は、組み合わせて構成する画像記録装置の機構、用途等は限定されるものではない。
【００１２】
前記画像形成装置の本体上部に配置する画像読取装置２０は、図２に詳細に説明するように、走査装置３０を配置するフレームの上部に、３つのプラテン２１〜２３を配置している。前記プラテン２１はＦＢＳ（フラットベッドスキャナー）機能に対応させて、プラテン２１の上面にセットしたブックものの原稿の画像の読取りを行う際に用いる。また、前記プラテン２１に対して、図の左側に所定の間隔をおいて配置する２つの小プラテン２２、２３は、後述する自動原稿搬送装置（ＡＤＦ）機能を両面読取可能な、自動両面原稿搬送読取装置（以下ＲＡＤＦと呼ぶ）３５として構成しているもので、前記ＲＡＤＦの機能を使用する際に、前記画像読取装置の第１、２読取部に対して走査装置２４を各々位置させて、読取りを行うように構成している。
【００１３】
前記画像読取装置２０のフレームの内部で移動可能に配置する走査装置２４は、フレーム２５にランプ２６と、複数のミラー２７、結像レンズ２８およびＣＣＤ２９を設けているもので、１つのユニットとして図の左右方向に移動可能に設けられる。前記走査装置２４においては、ランプ２６により原稿の画像面を照射して、その反射光を複数のミラー２７……間で反射し、結像レンズ２８によりＣＣＤ２９に結像する。前記ＣＣＤは従来より公知の光電変換素子を用いているものであるから、前記ＣＣＤに入射された光をデジタル信号に変換して、その情報を画像形成装置のメモリに記憶させ、記録紙の作成に用いることの他に、ＦＡＸ手段を介して送信することも可能とされる。
【００１４】
前記走査装置２４においては、図１に説明するように、ＦＢＳ機能を使用する際には、プラテン２１上にセットした原稿を、開閉部材３１の弾性押圧部材３２により押圧して保持する。そして、前記プラテン２１の下面に沿って移動させる走査装置２４により読取ることは、従来の走査装置の場合と同様にして行う。また、前記ＲＡＤＦ機能を用いてシートものの原稿を読み取る場合には、第１読取部４０と第２読取部５０に対して移動させる原稿に対して、それぞれの読取部に走査装置２４を停止させた状態で、読取り作用を行うようにしている。
【００１５】
図２に示すように、ＲＡＤＦ３５においては、原稿トレイ３６にセットする原稿Ｄは、堆積された下部のものから取り出す方式の給紙装置として構成される。前記原稿トレイ３６の給紙部には給紙ローラ３７を設け、その上部にはさばきパッド３９を設けた上板３８を配置して、前記原稿トレイ３６から給紙ローラ３７により取り出した原稿を、さばきパッド３９との間でさばいて、１枚ずつに分離した状態で、第１読取部４０に向けて搬送する。また、前記第１読取部４０と並べて第２読取部５０を設けており、前記第１読取部４０と第２読取部５０の間には、原稿を反転させて送り出す機構を、排出トレイ４６に設けた排出ローラ装置４７を正逆駆動ローラとして設けて構成している。
【００１６】
前記第１読取部４０においては、略Ｕ字状の搬送路を設けており、その底部はプラテン２２と、その上部に所定の間隔を介して配置するガイド部４３を設けて、搬送される原稿の画像の読取りに対応させている。また、前記第１読取部４０では、プラテン２２の両側の部分に、搬送ローラ装置４１、４２を配置して、両ローラ４１、４２により原稿を定速で搬送するようにしている。なお、第２読取部５０にも同様な搬送路と、搬送ローラ装置５１、５２をガイド部５３を介して配置しているが、前記搬送ローラ装置５１、５２は、正逆回転可能な装置として構成されている。そして、原稿の第２面を読み取る際には前記搬送ローラ装置５１、５２を正転方向に定速で駆動し、原稿を排出トレイ４７に向けて排出させる際には逆転駆動するように構成されている。
【００１７】
前記２つの読取部４０、５０の間に設ける搬送路は、第１読取部４０と排出トレイ４６を接続する排出路４５と、前記排出路４５の中途から分岐ゲート５６を介して分岐される戻し路５５を設けている。そして、第１読取部４０で原稿の第１面を読取った原稿を、排出路４５を通して排出トレイ４６に向けて搬送し、前記排出される原稿の後端部が排出ローラ装置４７にニップされている状態で、前記排出ローラ装置４７を逆転駆動する。その際には、分岐ゲート５６を切り換えて排出トレイ４６から第２読取部５０に連通させる経路を設定しておき、排出ローラ装置４７により逆送される原稿を第２読取部５０で読み取るようにする。前記第２読取部５０で原稿の第２面の読取りを行うに際して、原稿を下部反転路５７に向けて送るが、前記下部反転路５７に送られる原稿は、その後端部が搬送ローラ装置５２にニップされている状態で、前記搬送ローラ装置５２、５１を逆転駆動して、排出トレイ４６に向けて搬送する。
【００１８】
前述したように構成してなるＲＡＤＦ３５において、両面原稿を読み取る動作を以下に説明する。まず、原稿トレイ３６に第１頁を下にしてセットされた原稿は、給紙ローラ３７とさばきパッド３９の間で分離され、第１読取部４０の搬送ローラ装置４１、４２により搬送される途中で、プラテン２２の位置に停止されている走査装置２４により、原稿の第１面が読み取られる。前記原稿は、排出路４５を通って排出トレイ４６に向けて送られ、排出ローラ装置４７により排出トレイ４６上に先端部側が所定の長さ突出し、その原稿の後端部が排出ローラ装置４７にニップされている状態で、前記排出ローラ装置４７が逆転駆動される。そして、前記排出路４５内を戻される途中で、あらかじめ切り換えられている分岐ゲート５６により戻し路５５を通されて、第２読取部５０に向けて送られる。前記第２読取部５０に向けて送られる原稿は、第２面が下面側に向けられており、前記第２読取部５０で搬送される原稿は、プラテン２３の位置で読取りが行われる。
【００１９】
前記第２読取部５０で第２面が読み取られた原稿は、下部反転路５７に向けて突出されるが、その原稿の後端部が搬送ローラ装置５２にニップされている状態で、前記搬送ローラ装置５２、５１を逆転駆動する。そして、第２面の読取りが終了した原稿は、第２読取部５０から戻し路５５を通って、排出トレイ４６に向けて戻され、原稿の第１面が下に向けられた状態で、排出トレイ４６に収容される。したがって、前記ＲＡＤＦ３５にセットされた原稿は、原稿トレイ３６にセットした状態のままで、頁が乱されることとがない状態で、排出トレイ４６に堆積されることになり、読取り後の原稿の扱いを容易に行うことが可能となる。
【００２０】
前記ＲＡＤＦ３５に設ける搬送路において、前述したような反転搬送の動作を行うために、搬送路の所定の位置に、用紙を検知するセンサを設けて、用紙搬送装置の駆動の制御を行う。そのためには、排出トレイ４６に設ける排出ローラ装置４７に対して、その上流側にセンサを配置しておき、排出路４５から排出トレイに向けて、第１読取部４０から送られる原稿の後端部を検知して、その原稿の検知情報にもとづいて、戻し路５５に対する分岐ゲート５６の切り換えを行うようにする。さらに、第２読取部５０の搬送ローラ装置５２に後端部がニップされている状態で、前記搬送ローラ装置５２を逆転駆動するためにも、前記排出路に設けたセンサの情報を用いることができる。これに対して、より正確な搬送の制御のためには、搬送ローラ装置５１の近傍、またはプラテン２３の読取り部にセンサを配置しておき、そのセンサが第２面の読取りに対応して搬送される原稿の後端部を検知して、前記第２読取部５０の搬送ローラ装置５１、５２に対する逆転駆動の制御信号を出力させるようにしても良い。
【００２１】
なお、前記ＲＡＤＦ３５において、原稿の頁の乱れを問題としない場合には、前記下部反転路５７を排出トレイとして用いることが可能であり、排出トレイ４６を単純に下部反転路として設けることで、その装置の構成を簡素化することが可能である。また、前記下部反転路５７としては、それを反転のためにのみ用いる場合には、特にトレイ板等を設けることは必須の構成ではなく、原稿を所定の長さ突出させる空間を設けるのみでも良い。
【００２２】
【発明の効果】
前述したように構成したことにより、シートものの両面原稿を、原稿トレイにセットすることで、第１面と第２面の画像の読み取りを連続して行うことができ、その原稿搬送機構を簡素化した機構のものとして構成することができる。そして、排出トレイに排出される原稿は、原稿トレイにセットした頁順にしたがって堆積されるので、オペレータの後処理の手間を省くことができる。また、前記両面原稿の読み取りを行う際に、第１読取部と第２読取部とに対応させて、走査装置を少しだけ移動させて位置決めすることで対処でき、従来のＡＤＦに対して若干の機能を追加することで対処が可能である。
【図面の簡単な説明】
【図１】ＲＡＤＦを設けた画像形成装置の構成を示す説明図である。
【図２】ＲＡＤＦの構成を示す説明図である。
【符号の説明】
１    画像形成装置、  ２    装置本体、  ３    給紙部、
４    給紙カセット、  ５    給紙ローラ、  ６    用紙搬送路、
７    搬送ローラ装置、  １０    画像記録部、  １１    感光体ドラム、
１２    書込装置、  １３    現像装置、  １４    転写ローラ、
１５    クリーニング装置、  １７    定着装置、
１８    排出ローラ装置、  １９    排出トレイ、  ２０    画像読取装置、
２１〜２３    プラテン、  ２４    走査装置、  ２５    フレーム、
２６    ランプ、  ２７    ミラー、  ２８    レンズ、  ２９    ＣＣＤ、
３０    ＦＢＳ、  ３１    開閉部材、  ３２    原稿押圧板、
３５    ＲＡＤＦ、  ３６    原稿トレイ、  ３７    給紙ローラ、
３８    上板、  ３９    パッド、  ４０    第１読取部、
４１・４２    搬送ローラ装置、  ４３    ガイド部、  ４５    排出路、
４６    排出トレイ、  ４７    排出ローラ装置、  ５０    第２読取部、
５１・５２    搬送ローラ装置、  ５３    ガイド部、  ５５    戻し路、
５６    分岐ゲート、  ５７    下部反転路。
【図１】
2004343490.tif 000003
【図２】
2004343490.tif 000004